(57)【要約】【課題】    従来の一般的な伸縮固定式の虫とり網では、あまり長く伸びず、木などの高所にいる昆虫まで届かないという問題点を有していた。また木の高い隙間等にいる昆虫は、網では採取が困難であったという問題を解決すること。【解決手段】  複数の直径が異なる真っ直ぐな管の管端ボス（２ａ）に、パイプロック部品（図２）を装着する事により、柄を任意の長さで固定する事が可能となり、また用途に応じて柄先端（７ａ）の網部（１０）を引っ掛け棒（１１）に取り換える事により、この課題を解決する。【選択図】    図１
2006101856.tif 000002
【特許請求の範囲】
【請求項１】
複数の直径が異なる真っ直ぐな管を順次はめあいして、任意の長さで調整固定が出来る柄を持った虫とり網であって、細い管（１ａ）の管端に、筒円内にネジの切られているボス（２ａ）を圧入固定し、ネジ（３）の軸に、細い管（１ｂ）の内径より僅かに直径が大きい寸法のゴム（４）を接着し、ネジ（３）の軸に対し、寸法に余裕の有る筒内円を持つ斜めに切断されたカラー（５ａ、５ｂ）の切断面を相接して通し、平座金（６）を通した部品からなるものを、パイプロック部品（図２）とし、これを細い管（１ａ）のボス（２ａ）にねじ込んだ状態で、太い管（１ｂ）にはめ込む事により、太い管（１ｂ）の内管と、ゴム（４）との間に摩擦が生じる。この摩擦力により、太い管（１ｂ）とネジ（３）が連動した動作が出来るとともに、細い管（１ａ）と繋がり、細い管（１ａ）と太い管（１ｂ）を、それぞれ締める方向に回す事により、斜めの切断面を相接して装着されているカラー（５ａ、５ｂ）は真っ直ぐな状態を維持出来ず、外径が大きくなる楕円方向に滑りだし、太い管（１ａ）の内管に強く密着する事により、双方の管が固定出来る。また緩める方向に回す事により、カラー（５ａ，５ｂ）はフリーとなるため、元の状態の外径に戻り、細い管（１ａ）はスライドが出来るようになる事を特徴とする。これを、複数の直径が異なる真っ直ぐな管で繰り返す事により、望む長さの柄を持つ伸縮任意固定式虫とり網が出来る。
【発明の詳細な説明】
【技術分野】
【０００１】  本発明は、虫とり網に関するものであり、複数の直径が異なる真っ直ぐな管を順次はめあいして、管の固定に工夫を加える事によって、任意の長さで調整固定が出来る柄を持った伸縮任意固定式虫とり網である。
【背景技術】
【０００２】  従来から、昆虫採取ようとして、あまり長く伸びない柄の虫とり網が利用されている。
【発明の開示】
【発明が解決しようとする課題】
【０００３】  従来の一般的な伸縮固定式の虫とり網では、柄があまり長く伸びず、木などの高所にいる昆虫まで届かないという問題点を有していた。また木の高い隙間等にいる昆虫は、網では採取が困難であったという問題を解決することを課題とする。
【課題を解決するための手段】
【０００４】  この課題を解決するための請求項１の発明は、複数の直径が異なる真っ直ぐな管の管端ボス（２ａ）に、パイプロック部品（図２）をねじ込み、直径順にはめあいして、柄を任意の長さで固定出来る事を特徴とする、伸縮任意固定式虫とり網である。木などの高所にいる昆虫を採取する時に、任意の長さで調整固定が出来る。また用途に応じて柄先端（７ａ）の網部（１０）を引っ掛け棒（１１）に取り換える事により、木の高い隙間等にいる昆虫を採取する事が可能となる。
【発明の効果】
【０００５】  本発明により、昆虫を採取する時に、木などの高所にいる昆虫まで届かないという問題は減少する。また用途に応じて、柄先端（７ａ）の網部（１０）を引っ掛け棒（１１）に取り換える事により、今まで採取が困難であった状況でも容易に採取出来るようになる。
【発明を実施するための最良の形態】
【０００６】  図１は複数の直径が異なる真っ直ぐな管を順次はめあいし、パイプロック部品（図２）により繋がれた、縮めた状態の伸縮任意固定式虫とり網の斜視図である。同図に示すように、用途に応じて、網部（１０）と引っ掛け棒（１１）を自由に取り換える事が出来る。【０００７】  図２は、パイプロック部品及びボスの詳細斜視図である。ネジ（３）の軸に細い管（１ｂ）の内径より僅かに直径が大きい寸法のゴム（４）を接着し、ネジ（３）の軸に対し、寸法に余裕の有る筒内円を持つ、斜めに切断されたカラー（５ａ、５ｂ）の切断面を相接して通し、平座金（６）を通した部品からなるものを、パイプロック部品（図２）とする。【０００８】  図３はパイプロック部品を装着した管はめあい及び、管先端部の断面図である。細い管（１ａ）の片側管端に、筒円内にネジの切られているボス（２ａ）を圧入固定し、上記パイプロック部品（図２）を、ボス（２ａ）にねじ込んだ状態で、太い管（１ｂ）にはめ込む事により、太い管（１ｂ）の内管とゴム（４）との間に摩擦が生じる。この摩擦力により、太い管（１ｂ）とネジ（３）は連動した動作が出来るとともに、細い管（１ａ）と繋がり、細い管（１ａ）と太い管（１ｂ）を、それぞれ締める方向に回す事により、斜めの切断面を相接して装着されているカラー（５ａ、５ｂ）は真っ直ぐな状態を維持出来ず、外径が大きくなる楕円方向に滑りだし、太い管（１ａ）の内管に強く密着する事により、双方の管が固定出来る。また緩める方向に回す事により、カラー（５ａ，５ｂ）はフリーとなるため、元の状態の外径に戻り、細い管（１ａ）はスライドが出来るようになる事を特徴とする。【０００９】  これを複数の直径が異なる真っ直ぐな管で繰り返す事により、望む長さの柄を持つ伸縮任意固定式虫とり網が出来る。尚、柄先端となる最も細い管（１ａ）の管端には、網部（１０）取付けの為のボス（２ｂ）を圧入し、柄の両端にエンドキャップ（７ａ、７ｂ）を装着する。【００１０】  また、複数のはめあいされた管の抜け止め（８）は、（図２）に示す平座金（６）の外径寸法を細い管（１ａ）の直径より大きく、太い管（１ｂ）の内径より小さい寸法とし、管の抜け止め（８）加工により、太い管（１ｂ）に窪みが形成され、平座金（６）がその位置で引っ掛かり止る事により、管（１ａ）は抜けなくなる。【００１１】  図４は、引っ掛け棒の平面図である。棒の先端部を曲げ平たく圧延し、扇状にした事を特徴とする。これにより、木の隙間に先端部が入り、昆虫を傷つけずに採取が可能となる。
【産業上の利用可能性】
【００１２】  本発明に係る虫とり網は、工業的に量産する事が可能である為、産業上の利用可能性を有する。
【図面の簡単な説明】
【００１３】
【図１】  虫とり網収納時の斜視図である。
【図２】  パイプロック部品及びボスの詳細斜視図である。
【図３】  パイプロック部品を装着した管はめあい及び、管先端部の断面図である。
【図４】  引っ掛け棒の平面図である。
【符号の説明】
【００１４】  １、１ａ、１ｂ    真っ直ぐな管
２ａ、２ｂ        ボス
３                ネジ
４                ゴム
５ａ、５ｂ        筒状カラー
６                平座金
７ａ、７ｂ        エンドキャップ
８                管の抜け止め
９                スポンジグリップ
１０                網部
１１                引っ掛け棒
【図１】
2006101856.tif 000003
【図２】
2006101856.tif 000004
【図３】
2006101856.tif 000005
【図４】
2006101856.tif 000006